(57)【要約】【課題】壁掛け設置および床置き設置の両方に対応し、汎用性を向上させることができる温水器および給湯システムを提供する。【解決手段】実施形態に係る温水器は、温水生成部と、ケース部と、給水部とを備える。温水生成部は、水を加熱して温水を生成する。ケース部は、少なくとも底壁と側壁とを含み、温水生成部を収容する。給水部は、水源からの水が流通する給水配管に接続可能とされる。また、給水部は、接続部と、供給配管と、回転部とを備える。接続部は、給水配管に接続され、給水配管からの水が流入する。供給配管は、接続部の下流側に位置されて接続部へ流入した水を温水生成部へ供給する。回転部は、接続部と供給配管との間に介挿されるとともに、接続部を、供給配管に対して回転させることでケース部の側壁から突出する第１位置とケース部の底壁から突出する第２位置との間で変位させる。【選択図】図１
2018044704.tif 000002
【特許請求の範囲】
【請求項１】
水を加熱して温水を生成する温水生成部と、
少なくとも底壁と前記底壁から立設された側壁とを含み、前記温水生成部を収容するケース部と、
水源からの水が流通する給水配管に接続可能な給水部と
を備え、
前記給水部は、
前記給水配管に接続され、前記給水配管からの水が流入する接続部と、
前記接続部の下流側に位置されて前記接続部へ流入した水を前記温水生成部へ供給する供給配管と、
前記接続部と前記供給配管との間に介挿されるとともに、前記接続部を、前記供給配管に対して回転させることで前記ケース部の前記側壁から突出する第１位置と前記ケース部の前記底壁から突出する第２位置との間で変位させる回転部と
を備えることを特徴とする温水器。
【請求項２】
前記ケース部は、
前記底壁から立設されるとともに、開口部を有する前壁をさらに含み、
前記給水部は、
フィルタ部と、
前記フィルタ部が前記前壁の前記開口部を介して着脱可能に取り付けられるフィルタ取付部と
を備えることを特徴とする請求項１に記載の温水器。
【請求項３】
前記フィルタ取付部は、
前記フィルタ部の着脱方向が前記回転部の回転軸と同軸上となるように設けられること
を特徴とする請求項２に記載の温水器。
【請求項４】
前記接続部は、
前記給水配管からの水が流入する接続口と、
前記接続口の下流側に位置され、前記接続口に流入した水の流路を屈曲させる屈曲部と、
前記屈曲部の下流側に位置され、前記流路の水を前記回転部へ流出させる流出口と
を備えることを特徴とする請求項１〜３のいずれか一つに記載の温水器。
【請求項５】
前記接続部は、
前記回転部に対して回転可能となるように、前記回転部に接続されること
を特徴とする請求項１〜４のいずれか一つに記載の温水器。
【請求項６】
請求項１〜５のいずれか一つに記載の温水器と、
前記温水器で生成された温水を吐水する水栓と
を備えることを特徴とする給湯システム。
【発明の詳細な説明】
【技術分野】
【０００１】
開示の実施形態は、温水器および給湯システムに関する。
【背景技術】
【０００２】
従来、水道管などの水源から供給される水を加熱して温水を生成し、生成された温水をたとえば洗面器の水栓へ供給する温水器が提案されている（たとえば特許文献１参照）。なお、上記した温水器は、洗面器の下方の壁面に取り付けられる壁掛け設置型の温水器である。
【先行技術文献】
【特許文献】
【０００３】
【特許文献１】特開２０１２−１１２５９７号公報
【発明の概要】
【発明が解決しようとする課題】
【０００４】
しかしながら、温水器が取り付けられる壁面の状態や洗面器の下方の設置スペースの大きさ等によっては、温水器を床に置いて設置した方がよい場合があるが、上記した温水器は床置き設置に対応していなかった。このように、従来技術には、壁掛け設置および床置き設置の両方に対応し、汎用性を向上させるという点で改善の余地があった。
【０００５】
実施形態の一態様は、上記に鑑みてなされたものであって、壁掛け設置および床置き設置の両方に対応し、汎用性を向上させることができる温水器および給湯システムを提供することを目的とする。
【課題を解決するための手段】
【０００６】
実施形態の一態様に係る温水器は、水を加熱して温水を生成する温水生成部と、少なくとも底壁と前記底壁から立設された側壁とを含み、前記温水生成部を収容するケース部と、水源からの水が流通する給水配管に接続可能な給水部とを備え、前記給水部は、前記給水配管に接続され、前記給水配管からの水が流入する接続部と、前記接続部の下流側に位置されて前記接続部へ流入した水を前記温水生成部へ供給する供給配管と、前記接続部と前記供給配管との間に介挿されるとともに、前記接続部を、前記供給配管に対して回転させることで前記ケース部の前記側壁から突出する第１位置と前記ケース部の前記底壁から突出する第２位置との間で変位させる回転部とを備えることを特徴とする。
【０００７】
これにより、温水器において、壁掛け設置および床置き設置の両方に対応し、汎用性を向上させることができる。
【０００８】
また、前記ケース部は、前記底壁から立設されるとともに、開口部を有する前壁をさらに含み、前記給水部は、フィルタ部と、前記フィルタ部が前記前壁の前記開口部を介して着脱可能に取り付けられるフィルタ取付部とを備えることを特徴とする。
【０００９】
これにより、たとえば使用者は、フィルタ部の洗浄作業を行う際、温水器の前壁からフィルタ部に容易にアクセスして着脱することができることから、メンテナンス性を向上させることができる。
【００１０】
また、前記フィルタ取付部は、前記フィルタ部の着脱方向が前記回転部の回転軸と同軸上となるように設けられることを特徴とする。
【００１１】
これにより、たとえばフィルタ部の着脱に要する配管長の一部と回転部を供給配管に対して回転させるのに要する配管長の一部とをラップさせることが可能となり、よって配管長が長くなることを抑制することができる。
【００１２】
また、前記接続部は、前記給水配管からの水が流入する接続口と、前記接続口の下流側に位置され、前記接続口に流入した水の流路を屈曲させる屈曲部と、前記屈曲部の下流側に位置され、前記流路の水を前記回転部へ流出させる流出口とを備えることを特徴とする。
【００１３】
これにより、たとえば温水器を床置き設置する場合、施工者は、接続部を第１位置にしつつ接続口を上方へ向けることが可能となる。そのため、施工者は、工具と床との干渉を回避しつつ、給水配管を接続口に接続する作業を行うことができ、施工性を向上させることができる。
【００１４】
さらに、たとえば温水器を壁掛け設置する場合、施工者は、接続部を第２位置にしつつ接続口を側方へ向けることが可能となる。そのため、接続口に接続される給水配管は、温水器の下方に向けて垂れ下がりにくくなることから、温水器の下方のスペースを広くすることができ、よってたとえば車椅子利用者の足が温水器の下方において給水配管と接触することを回避することが可能となる。
【００１５】
また、前記接続部は、前記回転部に対して回転可能となるように、前記回転部に接続されることを特徴とする。これにより、施工者は、接続部の接続口を給水配管と接続し易い向きに容易に変更することができ、よって施工性を向上させることができる。
【００１６】
また、実施形態の一態様に係る給湯システムは、上述した温水器のいずれか一つと、前記温水器で生成された温水を吐水する水栓とを備えることを特徴とする。これにより、温水器の壁掛け設置および床置き設置の両方に対応し、汎用性を向上させることができる給湯システムを提供することができる。
【発明の効果】
【００１７】
実施形態の一態様によれば、温水器および給湯システムにおいて、壁掛け設置および床置き設置の両方に対応し、汎用性を向上させることができる。
【図面の簡単な説明】
【００１８】
【図１】図１は、実施形態に係る温水器を備えた給湯システムを示す正面図である。
【図２】図２は、給湯システムを示す側面図である。
【図３】図３は、温水器の構成例を示すブロック図である。
【図４】図４は、温水器の拡大正面図である。
【図５】図５は、図４のＶ−Ｖ線断面図である。
【図６】図６は、給水部の分解斜視図である。
【図７】図７は、図４のVII−VII線断面図である。
【図８】図８は、接続部付近の拡大正面図である。
【発明を実施するための形態】
【００１９】
以下、添付図面を参照して、本願の開示する温水器および給湯システムの実施形態を詳細に説明する。なお、以下に示す実施形態によりこの発明が限定されるものではない。
【００２０】
図１は、実施形態に係る温水器を備えた給湯システムを示す正面図であり、図２は、給湯システムを示す側面図である。なお、図１，２および図３以降に示す図は、いずれも模式図である。
【００２１】
また、図１，２には、説明を分かり易くするために、互いに直交するＸ軸方向、Ｙ軸方向およびＺ軸方向を規定し、Ｚ軸正方向を鉛直上向き方向とする３次元の直交座標系を図示している。かかる直交座標系は、後述の説明に用いる他の図面でも示す場合がある。
【００２２】
なお、給湯システム１は、後述するように洗面器１１０を備えるが、本明細書においては、洗面器１１０の前に立った使用者からみて手前側（Ｙ軸正方向）を「前方」とし、奥側（Ｙ軸負方向）を「後方」とする。また、洗面器１１０の前に立った使用者からみて右側（Ｘ軸正方向）を「右側方」とし、左側（Ｘ軸負方向）を「左側方」とする。また、洗面器１１０の前に立った使用者からみて上方を「上方」とし、下方を「下方」とする。
【００２３】
図１，２に示すように、給湯システム１は、給水配管１０と、温水器２０と、出湯配管３０と、水栓１００と、洗面器１１０とを備える。
【００２４】
給水配管１０は、壁面Ｗに設けられた止水栓１１を介して図示しない水道管などの水源に接続される。従って、給水配管１０には、水源からの水が流通する。そして、給水配管１０は、水源からの水を温水器２０へ供給する。
【００２５】
温水器２０は、給水配管１０から供給された水を加熱して温水を生成する。温水器２０は、たとえば床Ｆに置いて設置されるが、これは例示であって限定されるものではなく、壁面Ｗに取り付けられて設置されるようにしてもよい。なお、図１では、温水器２０が壁面Ｗに取り付けられる場合の床Ｆを想像線で示している。
【００２６】
このように、温水器２０は、床Ｆに設置される床置き設置と壁面Ｗに取り付けられる壁掛け設置の両方に対応できる構成とされるが、かかる構成については後に詳しく説明する。
【００２７】
出湯配管３０は、温水器２０および水栓１００に接続され、温水器２０で生成された温水を水栓１００へ供給する。
【００２８】
水栓１００は、図示しない使用者の手などが差し出された場合に、温水を吐出する自動水栓である。具体的に水栓１００には、人体検知センサ１０１が内蔵される。なお、ここでは人体検知センサ１０１が水栓１００に内蔵されるようにしたが、これに限られず、洗面器１１０やその他の場所に取り付けられてもよい。
【００２９】
人体検知センサ１０１は、水栓１００の吐出口１０２の下方に使用者の手などが差し出された場合、手などを検知したことを示す検知信号を温水器２０へ出力する。そして、温水器２０は、人体検知センサ１０１から検知信号が出力されている間、生成した温水を出湯配管３０を介して水栓１００へ供給して、吐出口１０２から吐出させる。なお、人体検知センサ１０１としては、非接触式の赤外線センサを用いることができるが、これに限定されるものではない。
【００３０】
なお、水栓１００にはさらに、図示しない湯水切替スイッチを有する操作盤１０４が設けられる。かかる湯水切替スイッチは、温水器２０で生成された温水を水栓１００から吐水する「湯吐水」と、温水器２０で加熱されない水を水栓１００から吐水する「水吐水」とを切り替えるスイッチである。温水器２０は、かかる湯水切替スイッチへの使用者の操作に応じて、水栓１００へ供給する水を温水と加熱されない水とで切り替える。
【００３１】
洗面器１１０は、水栓１００から吐出された温水等を受け、受けた温水等を排水管１１１から排水する。
【００３２】
次に、温水器２０について図３を参照して説明する。図３は、温水器２０の構成例を示すブロック図である。
【００３３】
図３に示すように、温水器２０は、給水部４０と、第１、第２流路５０ａ，５０ｂと、第１、第２電磁弁５１ａ，５１ｂと、第１、第２逆止弁５２ａ，５２ｂと、温水生成部６０と、バイパス流路７０と、混合部７１と、出湯部７２と、ケース部８０と、制御装置９０とを備える。
【００３４】
給水部４０は、上記した給水配管１０に接続可能とされ、給水配管１０からの水が供給される。なお、給水部４０の具体的な構成については、図４以降を参照して説明する。
【００３５】
第１、第２流路５０ａ，５０ｂはそれぞれ、給水部４０に接続され、給水部４０に供給された水が流通する。第１電磁弁５１ａは第１流路５０ａに設けられ、第１流路５０ａを開閉する開閉弁である。第２電磁弁５１ｂは第２流路５０ｂに設けられ、第２流路５０ｂを開閉する開閉弁である。
【００３６】
第１逆止弁５２ａは、第１流路５０ａにおいて第１電磁弁５１ａの下流側に設けられる一方、第２逆止弁５２ｂは、第２流路５０ｂにおいて第２電磁弁５１ｂの下流側に設けられる。第１、第２逆止弁５２ａ，５２ｂはともに、供給された水の逆流を防止する弁である。
【００３７】
温水生成部６０は、水を加熱して温水を生成する。具体的には、温水生成部６０は、貯湯タンク６１と、ヒータ６２とを備える。貯湯タンク６１は、第１流路５０ａにおいて第１逆止弁５２ａの下流側に設けられ、第１流路５０ａから流入される水を一時的に貯留する。
【００３８】
ヒータ６２は、貯湯タンク６１の内部に設けられ、貯湯タンク６１に貯留された水を昇温させる。なお、貯湯タンク６１内の水は、水栓１００から吐出されるときの適温（たとえば３６℃）よりも高い所定温度（たとえば７５℃）となるまでヒータ６２によって沸き上げられる。これにより、貯湯タンク６１には、比較的高温の温水が貯留されることとなる。
【００３９】
なお、ヒータ６２としては、電気ヒータを用いることができるが、これに限定されるものではなく、ガス式や石油式のヒータであってもよい。また、貯湯タンク６１の温水の温度や水栓１００から吐出されるときの温度については、任意の値に設定することができる。
【００４０】
また、本実施形態に係る温水生成部６０は、上記したように貯湯タンク６１に貯留された水を加熱して温水を生成する貯湯式とされるが、これに限られず、たとえば第１流路５０ａを流れている水をヒータで直接加熱して温水を生成するする瞬間式であってもよい。
【００４１】
バイパス流路７０は、温水生成部６０の上流側で、かつ第１電磁弁５１ａの下流側の第１流路５０ａから分岐される。そして、バイパス流路７０は、温水生成部６０をバイパスして温水生成部６０の下流側の第１流路５０ａに合流する。
【００４２】
混合部７１は、第１流路５０ａとバイパス流路７０との合流位置に設けられる。混合部７１は、温水生成部６０の貯湯タンク６１から供給されヒータ６２によって昇温された水（温水）とバイパス流路７０から供給された水とを混合させる。これにより、混合部７１では、たとえば３６℃程度の適温の温水が生成される。なお、混合部７１としては、混合弁を用いることができる。
【００４３】
また、第１流路５０ａにおいて混合部７１よりも下流側には、上記した第２流路５０ｂが接続される。出湯部７２は、第１流路５０ａの下流端に設けられるとともに、上記した出湯配管３０が接続される。
【００４４】
ケース部８０は、図１，２に示すように、たとえば略直方体状に形成される筐体である。具体的には、ケース部８０は、底壁８１ａと、前壁８１ｂと、後壁８１ｃと、側壁８１ｄと、上壁８１ｅとを備える。
【００４５】
底壁８１ａは、略四角状の平板であり、温水器２０が床置き設置の場合に床Ｆと接触するように位置され、温水器２０が壁掛け設置の場合に図１に想像線で示す床Ｆと対向するように位置される。
【００４６】
前壁８１ｂは、底壁８１ａの前方側の端縁から上方へ向けて立設され、後壁８１ｃは、底壁８１ａの後方側の端縁から上方へ向けて立設される。また、側壁８１ｄは、底壁８１ａの左方側および右方側の端縁からそれぞれ上方へ向けて立設される。また、上壁８１ｅは、前壁８１ｂ、後壁８１ｃおよび側壁８１ｄの上方側の端縁から延設されるとともに、底壁８１ａと対向するように位置される。
【００４７】
そして、ケース部８０は、上記した底壁８１ａ、前壁８１ｂ、後壁８１ｃ、側壁８１ｄ、上壁８１ｅによって囲まれる内部空間に、温水生成部６０や給水部４０の一部、第１、第２電磁弁５１ａ，５１ｂなどの各構成要素（図３参照）を収容する。
【００４８】
図３の説明に戻ると、制御装置９０は、ＣＰＵ、ＲＡＭおよびＲＯＭを備えたマイクロコンピュータであり、温水器２０全体を制御する。
【００４９】
ここで、温水器２０の動作を説明する。水栓１００に設けられた操作盤１０４の湯水切り替えスイッチが「湯吐水」に設定される場合、制御装置９０は、人体検知センサ１０１から検知信号が出力されている間、第１電磁弁５１ａを開弁させる。これにより、給水配管１０から給水部４０へ供給された水は、第１流路５０ａ、温水生成部６０を通って混合部７１に供給される一方、バイパス流路７０からも混合部７１に供給される。そして、混合部７１では、上記したように適温の温水が生成され、かかる温水が出湯部７２および出湯配管３０を通って水栓１００から吐出される。
【００５０】
他方、操作盤１０４の湯水切り替えスイッチが「水吐水」に設定される場合、制御装置９０は、人体検知センサ１０１から検知信号が出力されている間、第２電磁弁５１ｂを開弁させる。これにより、給水配管１０から給水部４０へ供給された水が、第２流路５０ｂ、出湯部７２および出湯配管３０を通って水栓１００から吐出される。
【００５１】
次いで、給水部４０について図４以降を参照して詳説する。図４は、温水器２０の拡大正面図であり、図５は、図４のＶ−Ｖ線断面図である。なお、図４，５においては、理解の便宜のため、給水部４０を主として示し、その他の構成要素については図示を省略している。また、図４においては、給水配管１０および出湯配管３０を想像線で示している。
【００５２】
図４および図５に示すように、給水部４０は、ケース部８０の底壁８１ａ、前壁８１ｂおよび右方側の側壁８１ｄに近接して配置される。また、側壁８１ｄおよび底壁８１ａには、側壁８１ｄから底壁８１ａに亘って連続する切欠き部８２が形成される。上記したように、給水部４０の一部は、ケース部８０に収容されるが、残部（後述する接続部４１）は、かかる切欠き部８２から露出するように位置される。
【００５３】
図６は、給水部４０の分解斜視図である。図６に示すように、給水部４０は、接続部４１と、供給配管４２と、回転部４３と、フィルタ部４４とを備え、それぞれの内部には水の流路が形成される。
【００５４】
接続部４１は、給水配管１０（図４参照）に接続され、給水配管１０からの水が流入する。詳しくは、接続部４１は、接続口４１ａと、屈曲部４１ｂと、流出口４１ｃとを備える。
【００５５】
接続口４１ａは、給水配管１０と接続可能な形状に形成される。そして、給水配管１０が、たとえば図示しない施工者によって接続口４１ａに接続されることで、給水配管１０からの水が接続口４１ａに流入する。
【００５６】
屈曲部４１ｂは、接続口４１ａの下流側に位置されるとともに、接続口４１ａから連続して形成される。また、屈曲部４１ｂは、接続口４１ａに流入した水の流路４１ｂ１（図４に破線で示す）をたとえば約９０度屈曲させる。なお、上記した屈曲部４１ｂによって屈曲される流路４１ｂ１の具体的な角度は、例示であって限定されるものではない。
【００５７】
流出口４１ｃは、屈曲部４１ｂの下流側に位置されるとともに、屈曲部４１ｂから連続して形成される。また、流出口４１ｃは、流路４１ｂ１の水を回転部４３へ流出させる。
【００５８】
上記のように、接続口４１ａと流出口４１ｃとの間に屈曲部４１ｂが介挿されることから、接続口４１ａにおける流路の開口方向（図６に一点鎖線Ａ１で示す方向）と流出口４１ｃにおける流路の開口方向（図６に一点鎖線Ａ２で示す方向）とのなす角度は約９０度となる。すなわち、接続部４１はＬ字状に形成される。
【００５９】
供給配管４２は、ケース部８０の適宜位置に固定されて取り付けられる。供給配管４２は、接続部４１の下流側に位置されて接続部４１へ流入した水を温水生成部６０等へ供給する。なお、供給配管４２の詳細な構成については、後述する。
【００６０】
回転部４３は、接続部４１と供給配管４２との間に介挿される。すなわち、回転部４３は、接続部４１の下流側、かつ供給配管４２の上流側に位置され、接続部４１から流入された水を供給配管４２へ流出させる。
【００６１】
詳しくは、回転部４３は、流入口４３ａと、屈曲部４３ｂと、流出口４３ｃとを備える。図７は、図４のVII−VII線断面図である。図７に示すように、回転部４３の流入口４３ａには、接続部４１が回転軸Ｂ回りに回転可能に接続され、接続部４１からの水が流入する。言い換えると、接続部４１は、回転部４３に対して回転可能となるように、回転部４３に接続される。
【００６２】
これにより、本実施形態に係る温水器２０にあっては、施工性を向上させることができる。すなわち、接続部４１の接続口４１ａに接続される給水配管１０（図１，４参照）は、たとえば止水栓１１（図１参照）の位置などの施工条件に応じて様々な形状を取り得るため、接続口４１ａにおいては、給水配管１０と接続し易い向きが施工条件によって変わる。
【００６３】
そこで、本実施形態に係る温水器２０にあっては、接続部４１が回転部４３に対して回転軸Ｂ回りに回転可能に構成されるため、施工者は、接続部４１の接続口４１ａを給水配管１０と接続し易い向きに容易に変更することができ、よって施工性を向上させることができる。
【００６４】
屈曲部４３ｂは、流入口４３ａの下流側に位置されるとともに、流入口４３ａから連続して形成される。また、屈曲部４３ｂは、流入口４３ａに流入した水の流路４３ｂ１をたとえば約９０度屈曲させる。なお、上記した流路４３ｂ１の具体的な角度は、例示であって限定されるものではない。
【００６５】
流出口４３ｃは、屈曲部４３ｂの下流側に位置されるとともに、屈曲部４３ｂから連続して形成される。また、流出口４３ｃは、供給配管４２に対して回転軸Ｃ回りに回転可能に接続され、流路４３ｂ１の水を回転部４３へ流出させる。従って、回転部４３は、流入口４３ａに接続されている接続部４１を、供給配管４２に対して回転軸Ｃ回りに回転させることができる。なお、回転軸Ｃは、たとえば温水器２０の前後方向たるＹ軸と平行または略平行とされる。
【００６６】
これにより、本実施形態に係る温水器２０にあっては、壁掛け設置および床置き設置の両方に対応でき、汎用性を向上させることができる。図８は、接続部４１付近の拡大正面図である。
【００６７】
すなわち、本実施形態にあっては、接続部４１が回転部４３によって供給配管４２に対して回転させられるようにしたことから、施工者は、図８に実線で示すように、接続部４１をケース部８０の側壁８１ｄから突出する第１位置と、想像線で示すように、ケース部８０の底壁８１ａから突出する第２位置との間で変位させることが可能となる。
【００６８】
そのため、施工者は、温水器２０をたとえば床置き設置する場合、接続部４１を第１位置とすることで、図１に示すように、接続部４１や給水配管１０が床Ｆと干渉することを抑制しつつ接続部４１と給水配管１０とを容易に接続し、温水器２０を床Ｆに設置することができる。
【００６９】
また、施工者は、温水器２０をたとえば壁掛け設置する場合、接続部４１を第２位置とすることで、図１に想像線で示すように、接続部４１と給水配管１０とを容易に接続し、温水器２０を壁面Ｗに設置することができる。なお、上記では、壁掛け設置する際、接続部４１を第２位置としたが、第１位置であってもよい。また、接続部４１の位置は、第１位置および第２位置に限られず、第１位置と第２位置との間の任意の位置であってもよい。
【００７０】
このように、本実施形態に係る温水器２０にあっては、回転部４３が、接続部４１を第１位置と第２位置との間で変位させるように構成されることから、壁掛け設置および床置き設置の両方に対応でき、汎用性を向上させることができる。
【００７１】
また、本実施形態に係る温水器２０において、接続部４１は、側壁８１ｄから突出する第１位置と、底壁８１ａから突出する第２位置との間で変位させられるように構成したことから、コンパクト化を図りつつ使い勝手の低下を回避することができる。
【００７２】
すなわち、たとえば仮に、接続部４１が前壁８１ｂから突出する位置、または前方に向けて突出する位置に設けられると、接続部４１の分だけ温水器２０の前後方向（奥行方向）の長さが増大する。温水器２０の前後方向の長さが増大すると、たとえば車椅子利用者の足が温水器２０に接触し易くなり、車椅子利用者が洗面器１１０に近づけず使い勝手が低下する。
【００７３】
しかしながら、本実施形態の温水器２０にあっては、接続部４１を上記のように構成して前壁８１ｂよりも後方に位置させるため、前後方向の長さが増大することがなく、コンパクト化を図ることができる。また、温水器２０をコンパクト化することで、車椅子利用者の足が温水器２０に接触しにくくなることから、車椅子利用者が洗面器１１０に近づくことが可能となり、使い勝手が低下することを回避することができる。
【００７４】
また、上記したように、接続部４１は、屈曲部４１ｂを備え、Ｌ字状に形成される。従って、本実施形態にあっては、たとえば温水器２０を床置き設置する場合、施工者は、図８等に示すように、接続部４１を第１位置にしつつ接続口４１ａを上方へ向けることが可能となる。これにより、たとえば施工者は、工具と床Ｆとの干渉を回避しつつ、給水配管１０を接続口４１ａに接続する作業を行うことができ、施工性を向上させることができる。
【００７５】
また、本実施形態にあっては、たとえば温水器２０を壁掛け設置する場合、施工者は、図８に想像線で示すように、接続部４１を第２位置にしつつ接続口４１ａを側方へ向けることが可能となる。これにより、接続口４１ａに接続される給水配管１０は、温水器２０の下方に向けて垂れ下がりにくくなることから、温水器２０の下方のスペースを広くすることができ、よってたとえば車椅子利用者の足が温水器２０の下方において給水配管１０と接触することを回避することが可能となる。
【００７６】
次に、供給配管４２について図６を参照して説明する。図６に示すように、供給配管４２は、本体配管４２ａと、第１連結口４２ｂと、第２連結口４２ｃと、フィルタ取付部４２ｄとを備える。
【００７７】
本体配管４２ａは、接続部４１から回転部４３を経由して供給された水が流通する流路（図６で見えず）が内部に形成される。本体配管４２ａには、上流側から順に、フィルタ取付部４２ｄ、第２連結口４２ｃおよび第１連結口４２ｂが形成される。
【００７８】
第１連結口４２ｂには、上記した第１流路５０ａ（図３参照）が連結され、第２連結口４２ｃには、第２流路５０ｂ（図３参照）が連結される。したがって、本体配管４２ａ内を流れる水は、第１、第２電磁弁５１ａ，５１ｂの動作に応じて、第１連結口４２ｂ、第１流路５０ａ等を介して温水生成部６０へ供給されたり、第２連結口４２ｃ、第２流路５０ｂを介して直接水栓１００へ供給されたりする。
【００７９】
フィルタ取付部４２ｄは、内部が中空となる円筒状に形成され、フィルタ部４４が着脱可能に取り付けられるように構成される。具体的には、図７に示すように、フィルタ取付部４２ｄは、流入口４２ｄ１と、流出口４２ｄ２と、挿入孔４２ｄ３とを備える。
【００８０】
流入口４２ｄ１は、円筒状のフィルタ取付部４２ｄの後端（Ｙ軸負方向側の端部）に形成される。流入口４２ｄ１には、回転部４３の流出口４３ｃが回転可能に接続され、回転部４３からの水が流入する。
【００８１】
流出口４２ｄ２は、フィルタ取付部４２ｄの側方に形成され、流入口４２ｄ１から流入した水を本体配管４２ａへ流出させる。このように、流出口４２ｄ２がフィルタ取付部４２ｄの側方に形成されることから、フィルタ取付部４２ｄ内における流路４２ｄ４は、約９０度屈曲することとなる。
【００８２】
挿入孔４２ｄ３は、円筒状のフィルタ取付部４２ｄの前端（Ｙ軸正方向側の端部）に形成される。そして、フィルタ部４４は、かかる挿入孔４２ｄ３から挿入されてフィルタ取付部４２ｄに着脱可能に取り付けられる。なお、図７において、フィルタ部４４の着脱方向を矢印Ｄで示した。
【００８３】
フィルタ部４４は、円筒状のフィルタ４４ａを備える、フィルタ部４４は、フィルタ４４ａが、フィルタ取付部４２ｄの流路４２ｄ４において屈曲する部位付近に位置するようにして、フィルタ取付部４２ｄに取り付けられる。
【００８４】
これより、フィルタ取付部４２ｄ内を流通する水は、図７に太線矢印Ｅで示すように、流入口４２ｄ１から円筒状のフィルタ４４ａの内部に流入した後、フィルタ４４ａを通過して流出口４２ｄ２から流出することとなる。そして、フィルタ部４４は、フィルタ４４ａを通過する水の中に含まれるゴミなどを捕集する。
【００８５】
また、フィルタ取付部４２ｄは、フィルタ部４４の着脱方向Ｄが回転部４３の回転軸Ｃと同軸上となるように設けられる。これにより、本実施形態に係る温水器２０にあっては、配管長が長くなることを抑制することができる。
【００８６】
すなわち、たとえば仮に、フィルタ部４４の着脱方向Ｄと回転軸Ｃとが同軸上とならない位置にフィルタ取付部４２ｄを設けようとすると、たとえば本体配管４２ａにおいて第２連結口４２ｃと流出口４２ｄ２との間に、フィルタ取付部４２ｄを設けることとなり、その分だけ配管長が長くなってしまう。
【００８７】
しかしながら、本実施形態に係る温水器２０にあっては、フィルタ取付部４２ｄを上記した位置に設けることで、フィルタ部４４の着脱に要する配管長の一部と回転部４３を供給配管４２に対して回転させるのに要する配管長の一部とをラップさせることが可能となる。これにより、本実施形態にあっては、上記のような配管長が長くなることを抑制することができる。
【００８８】
また、図４，５などに示すように、ケース部８０の前壁８１ｂにおいて、フィルタ取付部４２ｄの挿入孔４２ｄ３（図４，５で見えず）に対応する位置には、開口部８３が形成される。そして、挿入孔４２ｄ３に取り付けられたフィルタ部４４は、一部が開口部８３から露出するように位置される。したがって、フィルタ部４４は、前壁８１ｂの開口部８３を介してフィルタ取付部４２ｄに着脱されることとなる。
【００８９】
これにより、使用者は、フィルタ部４４のフィルタ４４ａに付着したゴミを取り除く洗浄作業を行う際、温水器２０の前壁８１ｂ側からフィルタ部４４に容易にアクセスして着脱することができることから、メンテナンス性を向上させることができる。
【００９０】
上述してきたように、実施形態に係る温水器２０は、温水生成部６０と、ケース部８０と、給水部４０とを備える。温水生成部６０は、水を加熱して温水を生成する。ケース部８０は、少なくとも底壁８１ａと底壁８１ａから立設された側壁８１ｄとを含み、温水生成部６０を収容する。給水部４０は、水源からの水が流通する給水配管１０に接続可能とされる。
【００９１】
また、給水部４０は、接続部４１と、供給配管４２と、回転部４３とを備える。接続部４１は、給水配管１０に接続され、給水配管１０からの水が流入する。供給配管４２は、接続部４１の下流側に位置されて接続部４１へ流入した水を温水生成部６０へ供給する。回転部４３は、接続部４１と供給配管４２との間に介挿されるとともに、接続部４１を、供給配管４２に対して回転させることでケース部８０の側壁８１ｄから突出する第１位置とケース部８０の底壁８１ａから突出する第２位置との間で変位させる。これにより、温水器２０において、壁掛け設置および床置き設置の両方に対応し、汎用性を向上させることができる。
【００９２】
なお、上記した実施形態においては、水栓１００として自動水栓を用いるようにしたが、これに限られず、手動水栓であってもよい。
【００９３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９４】
１    給湯システム
１０    給水配管
２０    温水器
４０    給水部
４１    接続部
４１ａ  接続口
４１ｂ  屈曲部
４１ｃ  流出口
４２    供給配管
４２ｄ  フィルタ取付部
４３    回転部
４４    フィルタ部
６０    温水生成部
８０    ケース部
８１ａ  底壁
８１ｂ  前壁
８１ｃ  後壁
８１ｄ  側壁
８１ｅ  上壁
８３    開口部
１００    水栓
１１０    洗面器
【図１】
2018044704.tif 000003
【図２】
2018044704.tif 000004
【図３】
2018044704.tif 000005
【図４】
2018044704.tif 000006
【図５】
2018044704.tif 000007
【図６】
2018044704.tif 000008
【図７】
2018044704.tif 000009
【図８】
2018044704.tif 000010